(57)【要約】【課題】  故障箇所を特定するための信号線の配線を簡易にして回路規模を小さくし、モジュールの再構築を容易にして、稼働率を向上させることができる多用途電子機器システムを提供する。【解決手段】  モジュール２内の機能実行部を信号線で連結すると共に、モジュール２間の機能実行部を横断的に連結して全ての機能実行部をマトリクス状に信号線で接続し、当該マトリクス状の信号線をホスト１が監視することで、信号線の配置を複雑にすることなく、故障部位を検出し、更に代替可能な機能実行部を表示することでモジュール構成の再構築を容易に実現できるとする多用途電子機器システムである。【選択図】        図１
2006094167.tif 000002
【特許請求の範囲】
【請求項１】
機能を実行する機能実行部を複数備えるモジュールを複数有する多用途電子機器と、前記機能実行部の故障を特定するホストとを備える多用途電子機器システムにおいて、
前記モジュールを縦横の一方向に配列し、機能実行部を前記モジュール内で縦横の他方向に配列した場合に、前記機能実行部の故障を検出する第１の故障検出部を前記他方向に信号線で連続して接続し、前記機能実行部の故障を検出する第２の故障検出部を前記モジュール間を跨いで前記一方向に信号線で連続して接続し、
前記ホストは、前記一方向の信号線と前記他方向の信号線の電位を監視し、電位が異常となった前記信号線の交点を故障箇所として特定し、更に故障箇所の機能実行部に代替する他の機能実行部を表示してモジュールの再構築を促すことを特徴とする多用途電子機器システム。
【発明の詳細な説明】
【技術分野】
【０００１】
本発明は、特定の機能を実現するモジュールを複数備える多用途電子機器システムに係り、特に、各モジュールの故障部位を検出して、故障部位を除いて稼働可能とする多用途電子機器システムに関する。
【背景技術】
【０００２】
従来の多用途電子機器システムについて図５を使って説明する。図５は、従来の多用途電子機器システムにおけるモジュール単位の故障診断を実現する構成ブロック図である。
従来の多用途電子機器システムは、多用途な電子機器（マルチモード電子機器）、または、ソフトウェア及びＦＰＧＡ（Field Programmable Gate Array）等のコンフィギャアラブルデバイスを使用して構成されたマルチモード組み込み機器によって構成されるものであり、特に特定機能を実現するモジュールを複数備え、更に各モジュールの故障を検出するものとなっている。
尚、多用途電子機器システムは、例えば、ソフトウェア無線機等で用いられている。
【０００３】
従来の多用途電子機器システムは、図５に示すように、機能Ａを実現するモジュールＡ２′、機能Ｂを実現するモジュールＢ２′、…、機能ｍを実現するモジュールｍ２′と、各モジュール２′の故障部位を検出するホスト１′とを備えている。
特に、各モジュール２′には故障を検出するための故障検出部を備え、ホスト１′は、全ての故障検出部に信号線ｒ1 ,ｒ2 ,…,ｒm で接続している。尚、故障検出部の終端は接地されている。
ホスト１′の制御部で実現される良否判定手段は、当該信号線を監視し、故障検出部での故障を特定する。つまり、モジュール２′における故障検出部での故障が信号線を介してホスト１′に報告される。
【０００４】
図５のシステムでは、モジュール単位の故障状況がホスト１′に報告されるが、故障モジュールは、修理されるか、若しくは代替品を用意して交換する必要があるため、稼働率は悪化する。
従って、図５のシステムでは、マルチモード電子機器又はマルチモード組み込み機器（「マルチモード機器」と称する）の特徴である機能の変更、或いは系の切り替え制御を実行することができない。
【０００５】
次に、従来の多用途電子機器システムにおけるモジュールの故障部位を特定し、モジュール構成の再構築を可能とするものについて図６を参照しながら説明する。図６は、従来の多用途電子機器システムにおけるモジュール単位の故障診断及びモジュール構成の再構築を実現する構成ブロック図である。
【０００６】
図６に示す多用途電子機器システムは、ホスト１”は、各モジュール２”の各機能実行部における故障検出部に信号線を介して接続し、更に各モジュール２”に再構築するための制御信号を出力するための信号線が接続されている。尚、故障検出部の終端は接地されている。
また、ホスト１”には、故障状況及び再構築に必要な情報を表示する表示部１１”と、再構築の指示を入力するための入力部１２”とが接続されている。
【０００７】
モジュール２”の各機能実行部は、基本的回路構成は同じではあるが、処理内容（機能）を異にしている。但し、ある機能実行部Ａ１が故障した場合に、別の機能実行部Ａ２が機能実行部Ａ１の機能を実行できるよう代替性を備えるものとなっている。
【０００８】
そして、ホスト１”の制御部で実現される良否判定手段は、各機能実行部の故障検出部に接続する信号線を監視し、故障のあった故障検出部を特定する。
ホスト１”の制御部で実現される再構築手段は、良否判定手段からの故障特定結果の情報から故障箇所を表示部１１”に表示し、入力部１２”からモジュールの構成を再構築する指示が入力され、当該指示に従ってモジュール構成の再構築を実現し、機器の継続使用を可能とする。
継続使用期間中に代替モジュールの調達ができ、多用途電子機器システムの稼働率を上げることが可能となるものである。
【０００９】
尚、多用途電子機器システムが適用されるソフトウェア無線機については、平成１３（２００１）年１２月１４日公開の特開２００１−３４５７６１号公報「無線通信装置」、平成１５（２００３）年５月２３日公開の特開２００３−１５２５４０号公報に記載がある。
【００１０】
【特許文献１】特開２００１−３４５７６１号公報
【特許文献１】特開２００３−１５２５４０号公報
【発明の開示】
【発明が解決しようとする課題】
【００１１】
しかしながら、図５の従来の多用途電子機器システムでは、各モジュール２′の故障部位を検出することはできるものの、モジュールの再構築を行うことができないという問題点があった。
【００１２】
また、図６の従来の多用途電子機器システムでは、各モジュール２”における機能実行部の故障箇所を特定し、モジュール内での再構築を可能とするものであるが、再構築を容易に行うための工夫は為されておらず、更に故障箇所を特定するための信号線が複雑となって回路規模が大きくなるとの問題点があった。
【００１３】
本発明は上記実情に鑑みて為されたもので、故障箇所を特定するための信号線の配線を簡易にして回路規模を小さくし、モジュールの再構築を容易にして、稼働率を向上させることができる多用途電子機器システムを提供することを目的とする。
【課題を解決するための手段】
【００１４】
上記従来例の問題点を解決するための本発明は、機能を実行する機能実行部を複数備えるモジュールを複数有する多用途電子機器と、機能実行部の故障を特定するホストとを備える多用途電子機器システムにおいて、モジュールを縦横の一方向に配列し、機能実行部をモジュール内で縦横の他方向に配列した場合に、機能実行部の故障を検出する第１の故障検出部を他方向に信号線で連続して接続し、機能実行部の故障を検出する第２の故障検出部をモジュール間を跨いで一方向に信号線で連続して接続し、ホストは、一方向の信号線と他方向の信号線の電位を監視し、電位が異常となった信号線の交点を故障箇所として特定し、更に故障箇所の機能実行部に代替する他の機能実行部を表示してモジュールの再構築を促すことを特徴とする。
【発明の効果】
【００１５】
本発明によれば、機能を実行する機能実行部を複数備えるモジュールを複数有する多用途電子機器と、機能実行部の故障を特定するホストとを備える多用途電子機器システムにおいて、モジュールを縦横の一方向に配列し、機能実行部をモジュール内で縦横の他方向に配列した場合に、機能実行部の故障を検出する第１の故障検出部を他方向に信号線で連続して接続し、機能実行部の故障を検出する第２の故障検出部をモジュール間を跨いで一方向に信号線で連続して接続し、ホストが、一方向の信号線と他方向の信号線の電位を監視し、電位が異常となった信号線の交点を故障箇所として特定し、更に故障箇所の機能実行部に代替する他の機能実行部を表示してモジュールの再構築を促すものであり、故障箇所を特定する信号線の配線を簡易にし、回路規模を小さくし、モジュールの再構築を容易に行わせて、システムの稼働率を向上させることができる効果がある。
【発明を実施するための最良の形態】
【００１６】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１７】
本発明の実施の形態に係る多用途電子機器システムは、モジュール内の機能実行部を信号線で連結すると共に、モジュール間の機能実行部を横断的に連結して全ての機能実行部をマトリクス状に信号線で接続し、当該マトリクス状の信号線をホストが監視することで、信号線の配置を複雑にすることなく、故障部位を検出し、更に代替可能な機能実行部を表示することでモジュール構成の再構築を容易に実現できるものである。
【００１８】
本発明の実施の形態に係る多用途電子機器システムについて図１を参照しながら説明する。図１は、本発明の実施の形態に係る多用途電子機器システムの構成ブロック図である。
本発明の実施の形態に係る多用途電子機器システム（本システム）は、図１に示すように、ホスト１と、複数のモジュール２と、ホスト１とモジュール２とを接続する信号線群と、ホスト１に接続する表示部１１と、入力部１２とから基本的に構成されている。
【００１９】
本システムの各部を具体的に説明する。
ホスト１は、複数のモジュール２における機能実行部の故障部位を検出して良否を判定する良否判定手段と、良否判定の結果に基づいてモジュール構成の再構築を行う再構築手段とを備えている。
良否判定手段と再構築手段とは、ホスト１の制御部にて実現されるもので、当該制御部がプログラムを動作させて処理を実行する。良否判定手段及び再構築手段の処理内容の詳細については後述する。
【００２０】
モジュール２は、１つのモジュール内に複数の機能実行部を備え、１つのモジュールで複数の機能を実現できるようになっている。
尚、各モジュール内における各機能実行部は、回路構成を同じにし、処理内容を異にしている。よって、特定の機能実行部が故障した場合には、他の機能実行部で処理内容を変更すれば代替することが可能である。
また、機能実行部には、２つの故障検出部が設けられ、これらが信号線群によって接続される。
【００２１】
信号線群は、縦横のマトリクス状に配置され、横方向の信号線はモジュール間を図１に示すように横方向に連続して接続されており、縦方向の信号線はモジュール内を図１では縦方向に連続して接続されている。
つまり、機能実行部内の第１の故障検出部は、図１で横方向に信号線で接続され、第２の故障検出部は、図１で縦方向に信号線で接続され、縦横に信号線がマトリクス状となっている。また、縦方向に連結する信号線は、各終端で接地されており、横方向に連結する信号線も各終端で接地されている。ここで、横方向の信号線は、信号線ｒ1 ，ｒ2 ，…，ｒn であり、縦方向の信号線は、信号線ｃ1 ，ｃ2 ，…，ｃm である。
また、各モジュール２に対して再構築手段１ｂからの指示が入力される信号線が接続されている。
【００２２】
ホスト１には表示部１１が接続され、モジュールの機能実行部における故障状況を表示し、再構築に関する情報（再構築を促す情報を含む）を表示する。
また、ホスト１には入力部１２が接続され、モジュール構成の再構築の指示が入力される。
【００２３】
次に、本システムにおけるモジュール管理テーブルについて図２を参照しながら説明する。図２は、モジュール管理テーブルの概略図である。
モジュール管理テーブルは、ホスト１の記憶部（図示せず）に格納されており、モジュール毎に各管理項目を管理している。管理項目として、機能実行部を識別する名称、当該機能実行部に設定されている設定機能の情報、当該設定機能が正常又は異常の判定結果（例えば「０」は正常、「１」は異常）、更に機能実行部の設定機能が異常の場合には再設定機能の情報である。
【００２４】
例えば、図２では、モジュールＡについて、機能実行部には全ての機能実行部を特定（識別）するための名称が設定されている。
そして、Ａ１実行部にはＡ１の機能が予め設定され、更に機能実行部の故障を検出した結果、機能実行部が正常であれば、正常／異常の欄には正常（０）が設定される。
また、Ａ２実行部で故障が検出されると、正常／異常の欄には異常（１）が設定される。この場合、Ａ２実行部は、利用できないため、機能Ａ２を実行させるには他の機能実行部にその機能を割り当てる必要がある。再構築手段１ｂでＡ１実行部に機能Ａ２を割り当てると設定すると、Ａ１実行部の再設定機能の欄にＡ２が設定される。
このようにして、モジュールにおける各機能実行部の機能が再構築される。
【００２５】
次に、本システムのホスト１における良否判定手段１ａの処理について図３を参照しながら説明する。図３は、良否判定処理の内容を示すフローチャートである。
良否判定部１ａは、図３に示すように、信号線ｒ1 〜ｒn 、信号線ｃ1 〜ｃm に同時に信号出力処理を行う（Ｓ１１）。
【００２６】
そして、良否判定手段１ａは、各信号線の電位を検出する処理を行う（Ｓ１２）。
良否判定手段１ａは、異常な電位値となった信号線があるか否か判定し、異常な電位値の信号線が存在する場合には、異常電位の縦方向の信号線と横方向の信号線が必ず存在することになるため、縦方向の信号線と横方向の信号線の交点に相当する機能実行部が故障個所として特定される（Ｓ１３）。特定された故障箇所の情報は、良否判定手段１ａによってモジュール管理テーブルの正常／異常の欄にフラグ「１」が設定され、良否判定手段１ａから再構築手段１ｂに故障個所の情報が出力される。
【００２７】
具体的には、縦横の信号線の終端は、接地されているため、全ての機能実行部が正常であれば、ホスト１の良否判定手段１ａから一定の電圧を印加した場合、電位はゼロとなるが、いずれかの機能実行部が故障していると、印加された電圧に対して故障の機能実行部を通過する信号線では、電気的に切断されることになるため、何らかの値の電位が検出されることになり、故障が検出され、特定されるものである。
【００２８】
次に、本システムにおけるホスト１における再構築手段１ｂの処理について図４を参照しながら説明する。図４は、再構築処理の内容を示すフローチャートである。
再構築手段１ｂは、良否判定手段１ａから故障箇所の情報を受け取り、当該故障個所の情報を表示部１１に表示すると共に、図２のモジュール管理テーブルを参照して代替可能な機能実行部を表示する（Ｓ２１）。
【００２９】
代替可能な機能実行部の表示処理は、正常／異常の欄を参照し、異常のフラグ「１」が設定されているモジュールの機能実行部の識別子と代替可能な機能実行部の識別子を表示する。１つの故障した機能実行部に対して代替可能な機能実行部が存在する場合には、代替可能な機能実行部を複数表示する。
【００３０】
そして、操作者が故障した機能実行部に対して代替可能な機能実行部を選択してモジュールの再構築を行う指示が入力部１２から入力されると、当該入力に従って代替機能実行部を選択する処理を行う（Ｓ２２）。
代替機能実行部の選択処理は、故障箇所の機能実行部が実行する機能をどの機能実行部で行うかを特定する処理である。例えば、機能Ａ２実行部が故障しているとした場合、その実行部が実行する機能Ａ２を機能Ａ１実行部で実行させることを特定する処理である。
【００３１】
そして、代替の機能実行部に故障した機能実行部が実現していた機能を再設定する処理を行い（Ｓ２３）、再構築を行う。具体的には、モジュール管理テーブルにおける代替の機能実行部に対する「再設定機能」の欄に、代替の機能を再設定機能として設定する。
図２の例では、機能Ａ１実行部に対する「再設定機能」の欄に代替機能Ａ２を設定する。
このようにして、本システムでは、モジュール２における機能の再構築が為されるものである。
【００３２】
本システムによれば、ホスト１の良否判定手段１ａは、横方向の信号線ｒ1 ，…，ｒn と縦方向の信号線ｃ1 ，…，ｃm の交点を故障箇所として特定し、再構築手段１ｂは、故障箇所に基づいて代替機能実行部を選択するよう促し、選択された代替機能実行部に代替機能を設定してモジュール内における再構築を実行するようにしているので、簡易な信号線の配線構造で、モジュール内の再構築を容易に行うことができ、再構築の間に故障部品を調達すれば、システムの稼働率を向上させることができる効果がある。
【産業上の利用可能性】
【００３３】
本発明は、故障箇所を特定するための信号線の配線を簡易にして回路規模を小さくし、モジュールの再構築を容易にして、稼働率を向上させることができる多用途電子機器システムに好適である。
【図面の簡単な説明】
【００３４】
【図１】本発明の実施の形態に係る多用途電子機器システムの構成ブロック図である。
【図２】モジュール管理テーブルの概略図である。
【図３】良否判定処理の内容を示すフローチャートである。
【図４】再構築処理の内容を示すフローチャートである。
【図５】従来の多用途電子機器システムにおけるモジュール単位の故障診断を実現する構成ブロック図である。
【図６】従来の多用途電子機器システムにおけるモジュール単位の故障診断及びモジュール構成の再構築を実現する構成ブロック図である。
【符号の説明】
【００３５】
１，１′，１"…ホスト、  １ａ…良否判定手段、  １ｂ…再構築手段、  ２，２′，ａh…モジュール、  １１，１１”…表示部、  １２，１２”…入力部
【図１】
2006094167.tif 000003
【図２】
2006094167.tif 000004
【図３】
2006094167.tif 000005
【図４】
2006094167.tif 000006
【図５】
2006094167.tif 000007
【図６】
2006094167.tif 000008